(57)【要約】【課題】  １つの光偏向素子で光の偏向方向を画像表示素子の画像形成領域の矩形状の辺と鋭角をなす方向にできるようにする。【解決手段】  透明な一対の基板２には、キラルスメクチックＣ相からなりホメオトロピック配向をなす液晶を含む液晶層３が設けられている。一対の電極７は、透明抵抗膜４を介して、この液晶層３に対して電位勾配を与えて液晶層３を透過する光の光路を偏向する。このような光偏向素子１の有効領域８は矩形形状であり、電位勾配の方向は基板２の板面方向で有効領域８の矩形形状の辺の方向と鋭角をなしている。【選択図】    図１
2006010914.tif 000002
【特許請求の範囲】
【請求項１】
透明な一対の基板と、
この基板間に設けられた液晶層と、
前記液晶層に対して電界を印加する一対の電極と、
を備え、
有効領域は矩形形状であり、
前記電界の印加を用いて前記液晶層を透過する光の光路を前記基板の板面方向で前記矩形形状の辺の方向と鋭角をなす方向に偏向する、
光偏向素子。
【請求項２】
透明な一対の基板と、
この基板間に設けられたキラルスメクチックＣ相からなりホメオトロピック配向をなす液晶を含む液晶層と、
前記液晶層に対して電位勾配を与えて前記液晶層を透過する光の光路を偏向する一対の電極と、
を備え、
有効領域は矩形形状であり、
前記電位勾配の方向は前記基板の板面方向で前記矩形形状の辺の方向と鋭角をなしている、
光偏向素子。
【請求項３】
前記電極に接続され前記有効領域に形成されている透光性の第１の抵抗を、さらに備えている請求項２に記載の光偏向素子。
【請求項４】
前記一対の電極は、前記矩形形状の対角の２つの頂点の近傍にそれぞれ設けられている、請求項２又は３に記載の光偏向素子。
【請求項５】
前記有効領域の周囲を一周し前記第１の抵抗に接触して形成され前記電極に接続されている第２の抵抗を、さらに備えている請求項３に記載の光偏向素子。
【請求項６】
前記第２の抵抗は、矩形形状のライン状であり当該矩形形状の対角の２つの頂点に前記電極が接続されている、請求項４に記載の光偏向素子。
【請求項７】
前記一対の電極に矩形波の交番電圧を印加する電源を、さらに備えている請求項２〜５のいずれかの一に記載の光偏向素子。
【請求項８】
前記第１の抵抗と前記第２の抵抗は間隔を空けて複数形成された第１の導体を介して前記接触を行っている、請求項５又は６に記載の光偏向素子。
【請求項９】
前記一対の電極を２組備え、
この各電極対の電極は、それぞれ前記矩形形状の２つの対角の２つの頂点の近傍に設けられ、
前記電源は、前記各組の電極対間に前記交番電圧をそれぞれ印加し、
前記各交番電圧は山と谷との切替えの際に当該山と谷の中間電圧を所定期間維持して、一方の前記交番電圧が山と谷にあるときに他方の前記交番電圧は前記中間電圧をとるように制御する第１の制御手段をさらに備えている、
請求項７項に記載の光偏向素子。
【請求項１０】
前記各電極対間に合成電界の方向が前記矩形形状のいずれかの辺と平行な方向となるように制御する第２の制御手段をさらに備えている、請求項９項に記載の光偏向素子。
【請求項１１】
前記有効領域の周囲を一周し前記電極に接続されている第２の抵抗と、
前記有効領域を横断して所定間隔で複数本設けられたライン状の導体であり両端側が前記第２の抵抗に接続され長さ方向が前記矩形形状の辺と鋭角をなしている第２の導体と、
をさらに備えている請求項２に記載の光偏向素子。
【請求項１２】
前記有効領域への入射光の偏光方向と前記電位勾配の方向が直交する、請求項２〜１１のいずれかの一に記載の光偏向素子。
【請求項１３】
透明な一対の基板と、
この基板間に設けられた液晶層と、
前記液晶層に対して電界を印加して入射する光の直線偏光の偏光方向を切り替える一対の電極と、
前記液晶層から出射する光の進行方向をその偏光方向に応じて偏向する複屈折性媒体と、
を備え、
有効領域は矩形形状であり、
前記偏向の方向は前記矩形形状の辺の方向と鋭角をなしている、
光偏向素子。
【請求項１４】
画像フィールドを時間的に更に細分割した複数個の画像サブフィールドごとに照明光を画像情報に基づいて空間光変調して画像光として出射する画像表示素子と、
この画像表示素子と同期し前記光路の偏向により、前記画像サブフィールドごとに駆動される前記画像表示素子の各画素から入射されてくる画像光の光路を偏向して前記画像表示素子の見かけ上の画素数を増倍して表示する請求項１〜７のいずれかの一に記載の光偏向素子と、
を備えている画像表示装置。
【請求項１５】
前記光偏向素子は、前記光の偏向方向が各画素の対角を結ぶ方向と一致している、請求項１に記載の光偏向素子。
【請求項１６】
前記画像表示素子は、その画像形成領域が矩形形状であり、かつ、その縦横比が前記有効領域の縦横比と等しい、請求項１４又は１５に記載の画像表示装置。
【請求項１７】
前記光偏向素子は、前記画像表示素子から出射して入射する光の偏光方向が、前記有効領域の矩形形状の辺方向からの傾斜方向と一致する、請求項１４〜１６のいずれかの一に記載の画像表示装置。
【請求項１８】
画像フィールドを時間的に更に細分割した複数個の画像サブフィールドごとに照明光を画像情報に基づいて空間光変調して画像光として出射する画像表示素子と、
この画像表示素子と同期し前記光路の偏向により、前記画像サブフィールドごとに駆動される前記画像表示素子の各画素から入射されてくる画像光の光路を偏向して前記画像表示素子の見かけ上の画素数を増倍して表示する光偏向素子と、
を備え、
前記光偏向素子は、前記光路の偏向の方向が前記有効領域の矩形形状の辺方向であり、この辺方向が前記画像表示素子の矩形形状の画像形成領域の辺方向と鋭角をなす、
画像表示装置。
【発明の詳細な説明】
【技術分野】
【０００１】
本発明は、光偏向素子及びこの光偏向素子を備えている画像表示装置に関する。
【背景技術】
【０００２】
ホメオトロピック配向をなすキラルスメクチックＣ相よりなる液晶を用いた光偏向素子については、例えば、特許文献１，２に開示されている。
【０００３】
この種の光偏向素子は、例えば、特許文献２の図７、図９等に示されているように、光偏向が有効に機能する領域（有効領域）は矩形状をなし、光偏向方向は、この矩形状のいずれかの辺と平行な方向である。これにより、ピクセルシフトも、画像表示素子の画素をスクリーン上で、スクリーンの矩形状の辺と平行な方向、すなわちスクリーンの縦横方向にシフトすることになる。
【０００４】
【特許文献１】特開２００２−３２８４０２公報
【特許文献２】特開２００３−０９８５０４公報
【発明の開示】
【発明が解決しようとする課題】
【０００５】
しかしながら、前記従来の光偏向素子では、光偏向の方向を斜め方向、すなわち画像表示素子の画像形成領域の矩形状の辺と鋭角をなす方向にしようとする場合、光偏向素子を２つ組み合わせる必要がある。すなわち、それぞれの光偏向素子で縦方向、横方向に光を偏向することにより、その合成として光を斜め方向に偏向しなければならなかった。
【０００６】
図２０は、画像表示素子２０４からの光をスクリーン２０５に投射する画像表示装置に光偏向素子を搭載した例であるが、光偏向素子としては前段の光偏向素子２０１で縦方向に偏向し、偏光方向切替手段２０２によって偏光面を切替えた後、光偏光素子２０３によって横方向に光偏向している。この場合、光偏向素子が２枚必要なことから、製造コストが増大するのみならず、光路長が増加し、光学系が大型化したり、光利用効率が低下したり、あるいは界面が増えることで解像特性が劣化したりするという不具合がある。
【０００７】
本発明の目的は、１つの光偏向素子で光の偏光方向を画像表示素子の画像形成領域の矩形状の辺と鋭角をなす方向にできるようにすることである。
【課題を解決するための手段】
【０００８】
本発明は、透明な一対の基板と、この基板間に設けられた液晶層と、前記液晶層に対して電界を印加する一対の電極と、を備え、有効領域は矩形形状であり、前記電界の印加を用いて前記液晶層を透過する光の光路を前記基板の板面方向で前記矩形形状の辺の方向と鋭角をなす方向に偏向する、光偏向素子である。
【０００９】
別の面から見た本発明は、透明な一対の基板と、この基板間に設けられたキラルスメクチックＣ相からなりホメオトロピック配向をなす液晶を含む液晶層と、前記液晶層に対して電位勾配を与えて前記液晶層を透過する光の光路を偏向する一対の電極と、を備え、有効領域は矩形形状であり、前記電位勾配の方向は前記基板の板面方向で前記矩形形状の辺の方向と鋭角をなしている、光偏向素子である。
【００１０】
別の面から見た本発明は、透明な一対の基板と、この基板間に設けられた液晶層と、前記液晶層に対して電界を印加して入射する光の直線偏光の偏光方向を切り替える一対の電極と、前記液晶層から出射する光の進行方向をその偏光方向に応じて偏向する複屈折性媒体と、を備え、有効領域は矩形形状であり、前記偏向の方向は前記矩形形状の辺の方向と鋭角をなしている、光偏向素子である。
【００１１】
別の面から見た本発明は、画像フィールドを時間的に更に細分割した複数個の画像サブフィールドごとに照明光を画像情報に基づいて空間光変調して画像光として出射する画像表示素子と、この画像表示素子と同期し前記光路の偏向により、前記画像サブフィールドごとに駆動される前記画像表示素子の各画素から入射されてくる画像光の光路を偏向して前記画像表示素子の見かけ上の画素数を増倍して表示する光偏向素子と、を備え、前記光偏向素子は、前記光路の偏向の方向が前記有効領域の矩形形状の辺方向であり、この辺方向が前記画像表示素子の矩形形状の画像形成領域の辺方向と鋭角をなす、画像表示装置である。
【発明の効果】
【００１２】
本発明によれば、１つの光偏向素子で光の偏向方向を画像表示素子の画像形成領域の矩形状の辺と鋭角をなす方向にできる。
【発明を実施するための最良の形態】
【００１３】
（定義）
本明細書において、「光偏向素子」とは、外部からの電気信号により光の光路を偏向、即ち、入射光に対して出射光を平行にシフトさせるか、ある角度を持って回転させるか、或いは、その両者を組合せて光路を切換えることが可能な光学素子を意味する。この説明において、平行シフトによる光偏向に対してそのシフトの大きさを「シフト量」と呼び、回転による光偏向に対してその回転量を「回転角」と呼ぶものとする。
【００１４】
（光偏向素子）
本実施の形態の光偏向素子について説明する。
【００１５】
図１（ａ）は、本実施の形態の光偏向素子１の平面図、図１（ｂ）は同断面図である。光偏向素子１は、一対の透明な基板２が対向配置した状態で設けられている。透明な基板２としては、ガラス、石英、プラスチックなどを用いることができるが、複屈折性の無い透明材料が望ましい。基板２の厚みは、例えば、数十μｍ〜数ｍｍ程度である。基板２の内側面には液晶層３に水平方向の電界を印加するために所定の電位勾配を形成することが可能な透明抵抗膜４が形成される。透明抵抗膜４の材料としては、酸化スズ（ＳｎＯ２）、酸化インジウム（Ｉｎ２Ｏ３）、酸化インジウム・スズ（ＩＴＯ）、酸化亜鉛（ＺｎＯ）、酸化亜鉛・アンチモン（ＺｎＯ・Ｓｂ２Ｏ５）、酸化スズ・アンチモン（ＡＴＯ）などを用いることができる。基板２に透明抵抗膜４を形成する場合、ライン電極形状の開口マスクを重ねた状態で、スパッタリング法、蒸着法、イオンプレーティング法などの方法で、直接、基板２上に所定形状の膜を成長させる方法や、塗布法、浸漬法、ゾルゲル法などで基板全面に成膜させた後、所定のマスキングを施した上で、塩酸系エッチャントなどによりウェットエッチングさせたり、ドライエッチングする方法を用いることができる。
【００１６】
また、透明抵抗膜４の液晶層３側には、液晶層３の配向性を確保するための配向膜５を形成するのが望ましい。配向膜５は、基板２の表面に対して液晶分子を垂直配向（ホメオトロピック配向）させることのできる材料ならば特に限定されないが、液晶ディスプレイ用の垂直配向剤やシランカップリング剤、ＳｉＯ２蒸着膜などを用いることができる。ここで、垂直配向（ホメオトロピック配向）とは、基板２の面に対して液晶分子が垂直に配向した状態だけではなく、数十度程度までチルトした配向状態も含む。両基板２の間隔は両基板２間にスペーサ６を挟んで規定し、基板２間に電極７と液晶層３を形成する。スペーサ６としては例えば数μｍ〜数ｍｍ程度の厚みを持つシート部材、あるいは同程度の粒径の粒子、などを用いることができ、素子１の有効領域８の外に設けられることが望ましい。
【００１７】
図１（ａ）に示されているように、光偏向素子１の基板２の表面上には、光偏向が制御可能な矩形形状の領域（有効領域）８が形成され、透明抵抗膜４、一対の電極７が示され、さらに一対の電極７（７ａ，７ｂ）と接続され、一対の電極７には電圧を印加する電源９が接続されている。この有効領域８内を光が透過することになるが、液晶駆動に必要な所定電界を得るための電圧は電極７間の距離に比例して大きくなることから、有効領域８としては、制御対象の光をすべて透過させながらも極力小さく形成するのが低電圧化のために望ましい。光が矩形形状の開口部から出射される場合、その開口部からの光の広がりを考慮し、有効領域８の形状を定めればよい。有効領域８は、透明抵抗膜４によって液晶が駆動する際、透明抵抗膜４の境界部では電界が不均一となり液晶分子の方向が乱れるので、その乱れが無視できるほど小さくなった部分から内側部分と等価である。有効領域８を矩形形状に形成することから、透明抵抗膜４は、有効領域８に対応して矩形形状に形成され、有効領域８の矩形形状の対角に位置する２つの頂点の近傍にそれぞれ位置する一対の電極７と接続される。
【００１８】
一対の電極７は透明抵抗膜４との接触抵抗が低く、かつ腐食しづらい材料が望ましい。具体的には、アルミニウム、クロム、ニッケル、銅、金等の金属、またはそれらの合金が好適である。一対の電極７には、光の偏向方向に応じて液晶を駆動するための所定電位差が電源９から与えられる。例えば，図１（ａ）中の電極７ａを接地し、電極７ｂに正電圧を印加すると、透明抵抗膜４中には平均的に電極７ａから電極７ｂに向かう方向、すなわち、基板２の板面方向で、矩形状の有効領域８の辺方向と鋭角をなす方向に電位勾配が発生する。この電位勾配方向の有効領域の辺からの傾斜角度を、ここではθとする（図２参照）。図２においては、有効領域８の長辺側をＸ軸に、短辺側をＹ軸に平行にとり、電位勾配方向をＸ軸からの傾斜角により規定する。この傾斜方向に沿って電界が発生するが、後述する通りスメクチックＣ液晶は電界方向に対して垂直な面内でチルトするため、光偏向方向は、この電位勾配方向と垂直な方向、すなわち図２においてはＸ軸から“π／２−θ”及び“３π／２−θ”の角度の方向をとり、光偏向方向を矩形形状領域の辺方向以外に設定できる。
【００１９】
透明抵抗膜４のとるべき抵抗値について説明する。液晶を駆動するための電圧として１ｃｍ当たり数百ボルトから数キロボルトの電位差を印加することを想定する。発熱を抑えるためには抵抗値を大きくする必要があるが、単位面積当たり消費電力が０．０１Ｗ／ｃｍ２程度ならば、一般的な構造では温度上昇は１０℃以下程度に抑えられる。例えば、素子１の透明抵抗膜４の面積を３ｃｍ×４ｃｍとし、表面抵抗値Ｒｓ＝１×１０８Ω／ｃｍ２とした時、電極間の抵抗値は、距離５ｃｍ（＝電極間距離）、幅２．４ｃｍの長方形の長軸方向の抵抗値に近似でき、平均的に２．０８×１０８Ωになる。この間に３０００Ｖの電圧を印加すると１４．４μＡの電流が流れる。この時、全体で約０．０４３Ｗ、単位面積当たり約０．００３６Ｗ／ｃｍ２の電力を消費する。この程度ならば発熱は実用上問題無い。したがって、表記矩形形状においては、表面抵抗値が１×１０８Ω／ｃｍ２程度以上の高抵抗の透明抵抗体を用いることが望ましい。
【００２０】
ここで、スメクチックＣ層を形成可能な液晶層３に関して詳細に説明する。「スメクチック液晶」は、液晶分子の長軸方向を層状に配列してなる液晶である。このような液晶に関し、「層状」である層の法線方向（層法線方向）と液晶分子の長軸方向とが一致している液晶を「スメクチックＡ相」、法線方向と一致していない液晶を「スメクチックＣ相」と呼んでいる。スメクチックＣ相よりなる強誘電液晶は、一般的に外部電界が働かない状態において各層毎に液晶ダイレクタ方向が螺旋的に回転している、いわゆる螺旋構造をとり、「キラルスメクチックＣ相」と呼ばれる。また、キラルスメクチックＣ相反強誘電液晶は各層毎に液晶ダイレクタが対向する方向を向く。これらのキラルスメクチックＣ相よりなる液晶は、不斉炭素を分子構造に有し、これによって自発分極しているため、この自発分極Ｐｓと外部電界Ｅにより定まる方向に液晶分子が再配列することで光学特性が制御される。なお、本実施の形態や後述の実施例では、液晶層３として強誘電液晶を例として光偏向素子１の説明を行うが、反強誘電液晶も同様に液晶層３に使用することができる。
【００２１】
キラルスメクチックＣ相は、ネマチック液晶に比較して極めて高速な応答性を有しており、サブｍｓでのスイッチングが可能である点が特徴である。電界方向に対して液晶ダイレクタ方向が一義的に決定されるため、スメクチックＡ相よりなる液晶に比べダイレクタ方向の制御が容易であり、扱いやすい。
【００２２】
ホメオロトピック配向をなすスメクチックＣ相よりなる液晶層３は、ホモジニアス配向（液晶ダイレクタが基板面に平行に配向している状態）をとる場合に比べて、液晶ダイレクタの動作が基板２からの規制力を受けにくく、外部電界方向の調整で光偏向方向の制御が行いやすく、必要電界が低いという利点を有する。また、液晶ダイレクタがホモジニアス配向している場合、電界方向だけでなく基板２の面に液晶ダイレクタが強く依存するため、光偏向素子の設置についてより位置精度が求められることになる。逆に、本実施の形態のようなホメオロトピック配向の場合は、光偏向に対して光偏向素子１のセッティング余裕度が増す。これらの特徴を活かす上で、厳密に螺旋軸を基板面に垂直に向ける必要はなく、或る程度傾いていても差し支えない。液晶ダイレクタが基板２からの規制力を受けずに２つの方向を向くことが可能であればよい。
【００２３】
光偏向素子１の動作原理について図３を参照して説明する。図３は、図１に示した構成に関して電界方向と液晶分子のチルト方向を模式的に示した説明図である。図３において、液晶分子３ａの幅が広く描いてある側が紙面上側、幅が狭く描かれている側が紙面下側に傾いている様子を示している。また、液晶の自発分極Ｐｓを矢印で示してある。電界の向きが反転すると、略垂直配向した液晶分子３ａのチルト角の方向が反転する。ここでは、自発分極が正の場合について電界印加方向と液晶分子３ａのチルト方向の関係を図示している。図３は液晶分子の配向状態を模式的に示したものであり、配向膜５、スペーサ６、電極７については図示を省略している。図３では、便宜上、紙面表裏方向に電圧印加されるように描き、電界は紙面表裏方向に作用する。電界方向は目的とする光の偏向方向に対応して図１に示す電源９により切換えられる。また、光偏向素子１に対する入射光は直線偏光であり、光偏向方向、すなわち図２の“π／２−θ”方向に振動ベクトルを有する直線偏光を入射させることで、すべての光を偏向させることが可能となる。
【００２４】
図３（ａ）に示すように、紙面手前側への電界が印加された場合、液晶分子３ａの自発分極が正ならば液晶ダイレクタが図右上にチルトした分子数が増加し、液晶層３としての平均的な光学軸も図右上方向にチルトして複屈折板として機能する。キラルスメクチックＣ相のらせん構造が解ける閾値電界以上では、すべての液晶ダイレクタがチルト角θを示し、光学軸が上側に角度θでチルトした複屈折板となる。異常光として左側から入射した直線偏光は上側に平行シフトする。ここで、液晶分子３ａの長軸方向の屈折率をｎｅ、短軸方向の屈折率をｎｏ、液晶層３の厚み（ギャップ)をｄとするとき、光の偏向のシフト量Ｓは以下の式で表される（例えば、「結晶光学」応用物理学会、光学懇話会編、p198参照）。
【００２５】
Ｓ＝［（１／ｎｏ）２−（１／ｎｅ）２］sin（２θ・ｄ）
÷［２（（１／ｎｅ）２sin２θ＋（１／ｎｏ）２cos２θ）］    ……    （１）
同様に、図３（ｂ）に示すように電極７への印加電圧を反転して紙面奥側への電界が印加された場合、液晶分子３ａの自発分極が正ならば液晶ダイレクタは図右下にチルトし、光学軸が下側に角度θでチルトした複屈折板として機能する。異常光として左側から入射した直線偏光は下側に平行シフトする。電界方向の反転によって、２Ｓ分の光偏向量が得られる。
【００２６】
以上の構成により、１つの光偏向素子１のみで斜め方向に光の向きを偏向させることが可能となる。これによって、従来のように上下左右方向に光の向きを偏向させるのに比較して、画像表示装置１０１（後述）の構成を簡略化できる。
【００２７】
次に、本発明の別の実施の形態について説明する。
【００２８】
図４は、この実施の形態の光偏向素子１の平面図（ａ）、断面図（ｂ）、一部拡大断面図（ｃ）である。以下の説明、及び図４以下の図面で、前述の実施の形態の説明と同一符号の部材などについては前述のとおりであるため、詳細な説明は省略する。前述の透明抵抗膜４（第１の抵抗）は、透光性の抵抗であり、一対の電極７に接続され、有効領域８を被うように有効領域８の両面に形成されている。これにより、一対の電極７のみで電界を形成する場合に比べて、有効領域８での電位勾配をリニアにすることができる。
【００２９】
本実施の形態の光偏向素子１では、さらに、透明抵抗膜４の周囲に透明抵抗膜４より低い表面抵抗値を有する抵抗膜であるガイド用抵抗膜１１（第２の抵抗）が有効領域８の周囲を一周して形成されている。このガイド用抵抗膜１１は、矩形形状のライン状であり、透明抵抗膜４と接触して形成され、一対の電極７がガイド用抵抗１１膜の対角に位置する頂点に接続されている。
【００３０】
ガイド用抵抗膜１１の表面抵抗値は均一であることが望ましく、また、光が透過する部分ではないので特に透明性の材料である必要ない。材料としては、酸化ケイ素等の誘電体に所望の抵抗値となるようＣｒ等の金属を添加した材料等を用いることができる。ガイド用抵抗膜１１の表面抵抗値は透明抵抗膜４よりも低いため、電圧印加時の電流の大部分はガイド用抵抗膜１１を流れる。従って、電極７ｂを接地して電極７ａに正電圧Ｖを印加した場合、図５に示す、ガイド用抵抗膜１１上の位置ｐにおける電位Ｖｐは、概略電極７ａからの距離をＬ１ｐ、電極７ｂからの距離をＬ２ｐとすると、“Ｖｐ＝Ｖ・Ｌ２ｐ／（Ｌ１ｐ＋Ｌ２ｐ）”となる。図５には、電位勾配を白抜きの矢印で示し、等電位のラインｌを示している。すなわち、電極７ｂからの距離が等しければ等電位となり、図５に示す位置ｐと位置ｐ´は同電位となる。このように、ガイド用抵抗膜１１を設けることで、透明抵抗膜４のみの場合に比べて電位勾配の方向や大きさの均一性が向上する。素子１の透明抵抗膜４の面積を３ｃｍ×４ｃｍとし、ガイド用抵抗膜１１の表面抵抗値をＲｓ＝１×１０８Ω／ｃｍ２、ガイド用抵抗膜１１の幅を１ｍｍとしたとき、ガイド用抵抗膜１１の電極間抵抗値は約１.２×１０１０Ωとなる。この間に３０００Ｖの電圧を印加すると０．２５μＡの電流が流れ、この時、全体で約０．０００７５Ｗ、単位面積当たり約０．００６３Ｗ／ｃｍ２の電力を消費する。この程度ならば発熱は実用上問題が無い。したがって、有効領域８の矩形形状を想定すると、表面抵抗値が１×１０８Ω／ｃｍ２程度以上の高抵抗のガイド用抵抗膜１１を用いることが望ましい。また、この場合の透明抵抗膜４としては、ガイド用抵抗膜１１よりも電極間抵抗値を二桁程度大きくとるのが望ましく、例えば、Ｒｓ＝１×１０１２Ω／ｃｍ２以上とするのがよい。
【００３１】
図６は、本実施の形態の光偏向素子１における電位差の変化を示す説明図である。すなわち、交流電源９は、ある期間Ｔsf1において、電極７ａの電位をΔＶ、電極７ｂの電位を０とし、電極７ａと電極７ｂの電位差（電極７ｂに対する電極７ａの電位）をΔＶに設定し、別の期間（Ｔsf2とする）において、電極７ｂの電位をΔＶ、電極７ａの電位を０とすることで、電極７ａと電極７ｂの電位差（電極７ｂに対する電極７ａの電位）を−ΔＶに設定し、これらの設定を交互に繰り返す。すなわち、電極７ａと電極７ｂとの間には矩形波の交番電圧を印加するようにする。
【００３２】
なお、期間Ｔsf1とＴsf2とは等しい時間とすることが、素子１の電荷を中性に保つために望ましい。また、ΔＶを形成するために、図６では、電極７ａ，７ｂの電位を交互に０、ΔＶ間でスイッチしているが、これに限定する必要は無く、例えば、電極７ｂの電位をグランドレベルに固定し、Ｔsf1において電極７ａの電位をΔＶに、Ｔsf2において電極７ａの電位を−ΔＶに設定する、あるいは、期間Ｔsf1において電極７ａの電位をΔＶ／２に、電極７ｂの電位を−ΔＶ／２に設定し、期間Ｔsf2において電極７ａの電位を−ΔＶ／２に電極７ｂの電位をΔＶ／２に設定するなど、利用する電源９の性質に応じて選択してよい。
【００３３】
この光偏向素子１によれば、図１の構成のものに比較して、電位勾配方向の均一性を向上させることが可能となる。
【００３４】
本発明の別の実施の形態について説明する。
【００３５】
図７は、本実施の形態の光偏向素子１の平面図（ａ）、断面図（ｂ）、一部拡大断面図（ｃ）である。以下の説明、及び図７以下の図面で、前述の実施の形態の説明と同一符号の部材などについては前述のとおりであるため、詳細な説明は省略する。この光偏向素子１は、透明抵抗膜４と離間した状態で別にガイド用抵抗膜１１が形成され、ガイド用抵抗膜１１と透明抵抗膜４は第１の導体となる導体１２を介して接続されている。この導体１２は、有効領域８を一周するガイド用抵抗膜１１に沿って所定間隔を空けて複数個形成されている。
【００３６】
この実施の形態では、透明抵抗膜４とガイド用抵抗膜１１の接触抵抗が大きい場合に、線形な電位勾配が得にくいという不具合を解決するために導体１２を形成するものである。すなわち、導体１２は間隔を空けて並べられ、ガイド用抵抗膜１１と透明抵抗膜４を接続するので、導体１２のそれぞれの接触抵抗を小さくでき、良好な電位勾配を得やすい。ただし、局所的に見ると導体１２上と導体１２間で周期的な電位の増減があるため、液晶層３内ではそれらが馴れるよう、液晶層３と透明抵抗膜４の間に誘電体層を設けるのが望ましい。
【００３７】
なお、ガイド用抵抗膜１１における所望の表面抵抗値は、図４以下を参照して説明した前述の実施の形態における表面抵抗値と同様に求めることができるので、ここでは説明を省略する。また、電位差の形成法についても前述の実施の形態と同様に設定できるため、説明を省略する。
【００３８】
この光偏向素子１によれば、前述の光偏向素子１に比べて、接触抵抗による電位不均一性を低減し、電位勾配方向の均一性を向上させることが可能となる。
【００３９】
本発明の別の実施の形態について説明する。
【００４０】
図８は、本実施の形態の光偏向素子１の平面図である。以下の説明、及び図８以下の図面で、前述の実施の形態の説明と同一符号の部材などについては前述のとおりであるため、詳細な説明は省略する。前述の図４を参照して説明した実施の形態では、一対の電極７ａ，７ｂが、有効領域８の矩形形状の対角の２つの頂点の近傍にそれぞれ設けられているが、本実施の形態では、同様の電極を２組（一対の電極７ａ，７ｂと、一対の電極７ｃ，７ｄ）用い、一対の電極７ａ，７ｂが有効領域８の矩形形状の対角の２つの頂点の近傍にそれぞれ設けられている他に、別の一対の電極７ｃ，７ｄも有効領域８の矩形形状の別の対角の２つの頂点の近傍にそれぞれ設けられている。一対の電極７ａ，７ｂと、一対の電極７ｃ，７ｄには、それぞれ異なる電源９により、矩形波の交番電圧が印加される。図８の例では、交互に電圧ΔＶ／２と−ΔＶ／２とが入れ替わる波形の電圧が各電源９により生成される。交番電圧の周期や、そのオン、オフのタイミングは、図示しないマイクロコンピュータなどの制御装置により制御される。この制御により、まず、次に説明するように一対の電極７ａ，７ｂ間と、一対の電極７ｃ，７ｄ間にそれぞれ印加される電圧は、電源９の電圧がΔＶ／２と−ΔＶ／２との間で切り替わる際に、一定期間０Ｖとすることができる（第１の制御手段）。
【００４１】
図９は、この場合の各電極７ａ，７ｂ，７ｃ，７ｄの電位を示すタイミングチャートである。
【００４２】
すなわち、ある期間（Ｔsf1とする）、電極７ａをΔＶ／２、電極７ｂを−ΔＶ／２に電位設定し、電極７ａと７ｂの電位差をΔＶにする。電極７ｃ、電極７ｄは、ΔＶ／２、７ｂと−ΔＶ／２の中間電位、ここでは０Ｖに設定する。
【００４３】
同様に、次のある期間（Ｔsf2とする）、電極７ｃをΔＶ／２、電極７ｄを−ΔＶ／２、電極７ａ，７ｂを０Ｖに設定する。
【００４４】
そして、次のある期間（Ｔsf3とする）、電極７ｂをΔＶ／２、電極７ａを−ΔＶ／２、電極７ｃ，７ｄを０Ｖに設定する。
【００４５】
さらに、次のある期間（Ｔsf4とする）、電極７ｄをΔＶ／２、電極７ｃを−ΔＶ／２、電極７ａ，７ｂを０Ｖに設定する。
【００４６】
この期間Ｔsf1〜Ｔsf4の切り替えは連続的に繰返す。これにより、一対の電極７ａ，７ｂ間と、一対の電極７ｃ，７ｄ間には、それぞれ、山（この例でΔＶ／２）と谷（この例で−ΔＶ／２）との切替えの際に当該山と谷の中間電圧（この例で０）を所定期間（Ｔsf2，Ｔsf4）維持する矩形波の交番電圧が印加され、一方の交番電圧が山と谷にあるときに他方の交番電圧は中間電圧をとることになる。
【００４７】
このような駆動を行なうことにより、図１０に示すように、それぞれの期間（Ｔsf1〜Ｔsf4）において、４方向に電位勾配を切り替えることが可能となり（その方向を、図１０に白抜きの矢印で示す）、光を４方向に偏向することができる。
【００４８】
また、図示しない制御装置で、０Ｖの中間電圧をとることなく、交番電圧の周期を変えることにより（第２の制御手段）、同様の装置構成で、図９のような印加電圧の波形の他に図１１のような波形もとることができる。
【００４９】
すなわち、期間Ｔsf1には、電極７ａ，７ｃを電位ΔＶ／２とし、電極７ｂ，７ｄを電位−ΔＶ／２とする。
【００５０】
同様に、期間Ｔsf2には、電極７ｃ，７ｂを電位ΔＶ／２とし、電極７ａ，７ｄを電位−ΔＶ／２に設定する。
【００５１】
さらに、期間Ｔsf3には、電極７ｂ，７ｄを電位ΔＶ／２とし、電極７ａ，７ｃを電位−ΔＶ／２に設定する。
【００５２】
そして、期間Ｔsf4には、電極７ａ，７ｄを電位ΔＶ／２とし、電極７ｃ，７ｂを電位−ΔＶ／２に設定する。
【００５３】
以上の期間Ｔsf1〜Ｔsf4の切り替えは連続的に繰返す。この駆動によって、一対の電極７ａ，７ｂ間と、一対の電極７ｃ，７ｄ間に、それぞれ印加される電界が合成された合成電界は、有効領域８の矩形形状のいずれかの辺と平行な方向になる。
図１０のような電位勾配とは別に、図１２に示すように、それぞれの期間Ｔsf1〜Ｔsf4において、有効領域８の矩形形状の各辺に平行な４方向に電位勾配（その方向を白抜きの矢印で示している）を形成することが可能となる。
【００５４】
本発明の別の実施の形態について説明する。
【００５５】
図１３は、本実施の形態の光偏向素子１の平面図である。以下の説明、及び図１３以下の図面で、前述の実施の形態の説明と同一符号の部材などについては前述のとおりであるため、詳細な説明は省略する。
【００５６】
本実施の形態の光偏向素子１では、前述の透明抵抗膜４に代えて、両基板２の内面側の有効領域８に所定ピッチ間隔で平行に設けられた、複数の透光性でライン状の導体である第２の導体となるライン状透明導電膜１４を備え、各ライン状透明導電膜１４に接続してなるガイド用抵抗膜１１と、ガイド用抵抗膜１１に電圧を印加することで各ライン状透明導電膜１４に電位勾配を生じせしめる一対の電極７とを備えている。ガイド用抵抗膜１１は、前述のように有効領域８の周囲を一周し電極７に接続されている。ライン状透明導電膜１４は、有効領域８を横断して設けられ、両端側がガイド用抵抗膜１１に接続されている。そして、ライン状透明導電膜１４は、その長さ方向が有効領域８の矩形形状の各辺と鋭角をなすように形成されている。
【００５７】
ライン状透明導電膜１４としては、酸化スズ系、酸化インジウム系などの導電性粉末の樹脂分散膜やＩＴＯ膜を用いることができ、前述の透明抵抗膜４と類似の材料ながら、組成、成膜条件を変えることではるかに低抵抗の膜を形成するが可能であり、その方法はスパッタ法等、工業的に確立している。同様にライン状透明導電膜１４をライン状に形成するためのエッチングも一般的に確立しているウェットエッチング法などを用いることができる。
【００５８】
ガイド用抵抗膜１１の表面抵抗値は均一であることが望ましく、ガイド用抵抗膜１１はライン状透明導電膜１４が形成されている周囲に沿ってライン形状に設けるのが望ましい。
【００５９】
本実施の形態では、有効領域８の電位勾配方向は図２のθでいうとπ/4に固定される。また、ライン状透明導電膜１４の長さ方向が有効領域８の矩形形状となす角度を所望に設定することで、このθを自在に設定できる。ただし、局所的に見るとライン状透明導電膜１４上で周期的な電位の増減があるため、液晶層３内ではそれらが馴れるよう液晶層３とライン状透明導電膜１４の間に誘電体層を設けるのが望ましい。
【００６０】
ガイド用抵抗膜１１における所望の表面抵抗値は、前述の図４以下を参照して説明した実施の形態における表面抵抗値と同様に求めることができるので、ここでは説明を省略する。
【００６１】
この光偏向素子１によれば、前述の光偏向素子１に比べて、電位勾配方向の均一性を向上させることが可能となる。また、ライン状透明導電膜１４のライン形成方向を選ぶことで電位勾配方向の設定が容易に可能となる。
【００６２】
前述した各実施の形態では、図３を参照して前述したように、光偏向素子１への入射光の偏光方向と電界方向を直交する方向に設定することで、入射光を良好に偏向させることができる。すなわち、前述の光偏向素子１を用いる画像表示装置１０１（後述）において、光偏向素子１への入射光の偏光方向と電位勾配方向が垂直となるよう設定することで、ゴースト像を低減し高精細の画像を得ることが可能となる。この設定方法としては、例えば、光偏向素子１の光入射側に９０度位相差板を配置し、光の偏光方向を電位勾配方向に合わせて回転させればよい。
【００６３】
本発明の別の実施の形態について説明する。
【００６４】
図１４は、本実施の形態の光偏向素子１の平面図である。以下の説明、及び図１４以下の図面で、前述の実施の形態の説明と同一符号の部材などについては前述のとおりであるため、詳細な説明は省略する。
【００６５】
この光偏向素子１は、一対の基板２と基板２間に充填された液晶層３とからなり入射する直線偏光の偏光方向を切り替える偏光方向切替手段２１と、偏光方向切替手段２１からの光の進行方向をその偏光方向に応じて偏向する複屈折性媒体（一軸光学結晶）２２とを備え、矩形形状の有効領域８で光偏向動作する。そして、一軸光学結晶２２の光学結晶軸方向を基板２の面に投影して得られる光学結晶軸投影方向が、有効領域８の辺方向から傾斜してなる。
【００６６】
そして、前述の光偏向素子１と同様に、基板２、液晶層３、配向膜５、スペーサ６などから構成されているが、次のような違いがある。まず、液晶層３としては、前述のスメクチックＣ液晶やネマチック液晶を用いることができる。配向膜５と基板２との間には透明導電膜１５が設けられ、液晶層３に垂直方向に電界が印加される。液晶層３は入射する直線偏光の偏光方向を切替えるために設けるので、スメクチックＣ液晶は特に垂直に配向させる必要はなく、水平方向の配向でよい。ネマチック液晶としてツイストネマティック液晶を用いた場合は、ツイストネマティック液晶の旋光性を利用してツイスト角を９０度に設定し、電圧無印加時は入射偏光方向が９０度回転して出射し、電圧印加時は入射偏光方向を保った状態で出射するように設定すればよい。また、ツイストのないネマチック液晶の場合は、液晶の屈折率異方性を利用していわゆるＥＣＢモードによって入射光の偏光方向を切り替えればよい。スメクチックＣ液晶の場合も同様に屈折率異方性を利用した偏光方向切替えを行うようにする。液晶分子の電圧無印加時の長軸方向は後述する入射偏光方向と平行あるいは直交する方向に設定する。電源９は、２枚の透明導電膜１５間に電圧を印加する。よって、２枚の透明導電膜１５が一対の電極として機能する。
【００６７】
一軸光学結晶は、ＫＨ２ＰＯ４（ＫＤＰ），ＮＨ４Ｈ２ＰＯ４（ＡＤＰ），ＬｉＮｂＯ３，ＬｉＴａＯ３，ＧａＡｓ，ＣｄＴｅなど、第１次電気光学効果（ポッケルス効果）の大きな材料や、ＫＴＮ，ＳｒＴｉＯ３，ＣＳ２，ニトロベンゼン等の第２次電気光学効果の大きな材料を用いることができる。光学結晶軸方向は有効領域８から傾斜した方向に設定する。図１５には、一軸光学結晶２２の光学結晶軸方向を基板２の面に投影して得られる光学結晶軸投影方向を示す。投影図において有効領域８の長軸方向をＸ軸、短軸方向をＹ軸として、一軸光学結晶２２のＸ軸からの傾斜角はφ（≠０）である。この時入射させる直線偏光の方向は、傾斜角φに平行または直交方向に設定する。これによって、ゴースト光の発生を抑えて良好な偏向制御が可能となる。また、基板２の面からの光学結晶軸の傾きψ及び一軸光学結晶２２の厚さｔは、偏向量に合わせて設定する。
【００６８】
以上の構成により、１つの光偏向素子１のみで斜め方向に光の向きを偏向させることが可能となる。これによって、従来のように上下左右方向に光の向きを偏向させるのに比較して、画像表示装置１０１（後述）の構成を簡略化できる。しかも、前述の光偏向素子１と比べて、低電圧で大面積の動作を可能とすることができる。
【００６９】
（画像表示装置）
前述のいずれかの光偏向素子１を備えている、本実施の形態の画像表示装置について説明する。
【００７０】
図１６は、本実施の形態の画像表示装置１０１の構成を説明する説明図である。符号８１はＬＥＤランプを２次元アレイ状に配列した光源であり、この光源８１からスクリーン８６に向けて発せられる光の進行方向には、拡散板８２、コンデンサレンズ８３、一対の偏光フィルタ(図示せず)、および偏光フィルタ間に位置する画像表示素子としての透過型液晶パネル８４、画像パターンを観察するための光学部材としての投射レンズ８５が、順に配設されている。符号８７は光源８１に対するドライブ装置、符号８８は透過型液晶パネル８４に対するドライブ装置である。
【００７１】
ここに、透過型液晶パネル８４と投射レンズ８５との間の光路上には、ピクセルシフト素子として機能する前述の光偏向素子１が設けられており、ドライブ装置９０に接続されている。
【００７２】
ドライブ装置８７で制御されて光源８１から放出された照明光は、拡散板８２により均一化された照明光となり、コンデンサレンズ８３によりドライブ装置８８で照明光源と同期して制御されて、画像表示素子となる透過型液晶パネル８４をクリティカル照明する。この透過型液晶パネル８４は、画像フィールドを時間的に更に細分割した複数個の画像サブフィールドごとに照明光を画像情報に基づいて空間光変調して画像光として出射する。この画像光は光偏向素子１に入射し、この光偏向素子１によって画像光が画素の配列方向に任意の距離だけシフトされる。そして、この光は投射レンズ８５で拡大され、スクリーン８６上に投射される。
【００７３】
ここに、図１７に示すように、光偏向素子１による投射光路をＸ方向の画素ピッチをＰＸ、Ｙ方向の画素ピッチをＰｙとしたとき、斜方向に画素ピッチの半分、すなわち（ＰＸ/２，Ｐｙ/２）の長さだけシフトさせることで、画素配列ピッチが一定となり高精細な画像が得られる。この方向は各画素の対角を結ぶ方向と一致しており、有効領域８の矩形形状の辺方向からの傾斜方向が各画素の対角を結ぶ方向と一致している場合に、上記高精細の画像が得られる。
【００７４】
また、透過型液晶パネル８４から出射し光偏向素子１に入射する光の偏光方向を、有効領域８の矩形形状の辺方向からの傾斜方向と一致させることで良好なシフトが得られる。これにより、ゴースト像を低減し、高精細の画像を得ることが可能となる。
【００７５】
このような画像表示装置１０１では、シフト位置に対応した２つサブフィールド画像を透過型液晶パネル８４に順次表示するタイミングを、シフトタイミングと同期することで、見掛け上２倍に画素数が増倍した高精細な画像を表示することができる。この際、光偏向素子１として、前述した各実施の形態のような光偏向素子１を用いているので、光の利用効率を向上させ、光源８１の負荷を増加することなく観察者により明るく高品質の画像を提供することができる。
【００７６】
さらに、透過型液晶パネル８４で画像が形成される領域である画素形成領域が矩形形状である場合、その縦横比を光偏向素子１における有効領域８の縦横比と等しくすることで、電位勾配形成のための印加電圧を低減することが可能である。
【００７７】
すなわち、図１８において、画像表示素子である透過型液晶パネル８４の画像形成領域の縦横のサイズをＬＸ，Ｌｙとすると、光偏向素子１の有効領域の縦横のサイズをａ・ＬＸ，ａ・Ｌｙとする。
【００７８】
このような構成により、電位勾配形成の為の印加電圧を低減することができる。
【００７９】
別の実施の形態について説明する。
【００８０】
図１９の画像表示装置１０１は、画像フィールドを時間的に更に細分割した複数個の画像サブフィールドごとに照明光（光源は図示せず）を画像情報に基づいて空間光変調して画像光として出射する画像表示素子である透過型液晶パネル８４と、この画像光を偏光する偏光方向切替手段９１と、透過型液晶パネル８４と同期し、光路の偏向により、画像サブフィールドごとに駆動される透過型液晶パネル８４の各画素から入射されてくる画像光の光路を偏向して透過型液晶パネル８４の見かけ上の画素数を増倍して表示する光偏向素子９２とを備え、偏向後の画像をスクリーン８６に表示する装置である。
【００８１】
この画像表示装置１０１で用いる光偏向素子９２は前述の光偏向素子１とは異なる構成で、例えば、特許文献１，２などに開示の周知構成の光偏向素子を用いている（よって、その詳細な構成や動作は省略する）。よって、この光偏向素子９２は、その有効領域の矩形形状の辺の方向と光の偏向方向が一致している。但し、透過型液晶パネル８４で画像が形成される領域である画素形成領域が矩形形状であり、この矩形形状の辺の方向と、光偏向素子９２の有効領域の矩形形状の辺の方向とは鋭角をなすように、光偏向素子９２は傾いて配置されている。
【００８２】
このような構成によっても、１つの光偏向素子９２のみで斜め方向に光の向きを偏向させることが可能となる。これによって、従来のように上下左右方向に光の向きを偏向させるのに比較して、画像表示装置１０１の構成を簡略化できる。
【実施例】
【００８３】
以下、本発明の実施例について説明する。
【００８４】
（実施例１）
＜光偏向素子の作成＞
大きさ４ｃｍ×６ｃｍ、厚さ１ｍｍのガラス基板の表面に、有効領域が約３ｃｍ×４ｃｍとなるように、３．２ｃｍ×４．２ｃｍの範囲に透明抵抗膜４として酸化スズ膜をスパッタ法により形成した。そして、４探針法で表面抵抗を測定したところ、約１×１０８Ω／ｃｍ２であった。図１に示す有効領域８の対向する頂点にクロム膜をスパッタ法にて形成し，電極７と透明抵抗膜４を電気的に接続した。電極７間の距離は約５ｃｍである。クロム膜は有効領域８の頂点から基板２の端部まで配線パターンを施し、そこで導線と結線し、外部の直流電源と接続した。さらに、透明抵抗膜４の上に厚み０．６μｍの垂直（ホメオトロピック）配向膜５をスピンコート法により形成した。厚み６０μｍ、幅０．５ｍｍ、のマイラーシートをスペーサ６とし、二枚の基板２を張りあわせてなるセルを約９０度に加熱した状態で、基板２の間の空間に強誘電性液晶（チッソ製ＣＳ１０２９を使用。複屈折Δｎ＝０．１６、チルト角θ＝２５度、自発分極Ｐｓ＝−４０ｎＣ／ｃｍ２)を毛管法にて注入した。これを冷却後、接着剤で封止し、図１に示す光偏向素子１とした。
【００８５】
＜光学軸の観察＞
この光偏向素子１を用い、無電界の状態で、この有効領域８内の中心部において液晶層３のコノスコープ像を観察したところ、十字形と円環の画像が中心部に観察された。したがって、無電界下では光学軸が液晶層３に垂直であることを確認できた。この状態では液晶分子３ａのチルト方向が基板２の面に垂直方向に対して回転する螺旋構造を取っており、平均的な光学軸は螺旋軸の方向である基板２の面に垂直な方向して観察される。次に、直流電源の出力を３０００Ｖに設定し、電圧を印加した。同様にコノスコープ像を観察すると十字と円環の位置が図２の“π／２−θ”方向にシフトした。これは、本実施例では用いた強誘電性液晶の自発分極が負であるため、θ方向の電界に対して光学軸が“π／２−θ”方向にチルトしていることを示している。この結果から、本光偏向素子１において、液晶を駆動するための電位勾配が、有効領域の辺方向から傾斜して発生していることが確認できた。ただし、観察位置を変化させたところ、コノスコープ像の十字と円環の位置が観察場所によって変化することも同時に確認された。
【００８６】
（実施例２）
＜光偏向素子の作成＞
実施例１で説明した光偏向素子１の製造工程中において、透明抵抗膜４を形成した後、その周囲に酸化ケイ素にクロムを５％添加した材料により、図４に示すガイド用抵抗膜１１を形成した。このガイド用抵抗膜１１の上に電極７を形成し、その後は、実施例１と同様の方法で光偏向素子を作製した。ガイド用抵抗膜１１の表面抵抗値は１×１０８Ω／ｃｍ２、透明抵抗膜４の表面抵抗値は１×１０１２Ω／ｃｍ２とした。
【００８７】
＜光学軸の観察＞
実施例１と同様の方法でコノスコープ象を観察した。光偏向素子１の中心部で有効領域８から電位勾配が実施例１と同様に傾斜していることが確認できた。さらに観察位置を変化させたところ、実施例１と比較してコノスコープ像の十字と円環の位置についての均一性が向上していることが確かめられた。
【００８８】
（実施例３）
＜光偏向素子の作成＞
実施例１で説明した光偏向素子１の製造工程中において、透明抵抗膜４を形成した後、その周囲に酸化ケイ素にクロムを５％添加した材料により、図７に示すガイド用抵抗膜１１を形成した。このガイド用抵抗膜１１と透明抵抗膜４を接続する導体１２を、電極７の材料と同じクロムにより形成した。クロムの幅は１０μｍ、ピッチは１００μｍとした。この際、同時に実施例１に示す電極７を形成した。この基板２の上に、厚さ１５０μｍのカバーガラスを貼った。その後の配向膜５の形成以降の処理は実施例１と同様の方法で行い、光偏向素子１を作製した。ガイド用抵抗膜１１の表面抵抗値は１×１０８Ω／ｃｍ２、透明抵抗膜４の表面抵抗値は１×１０１２Ω／ｃｍ２とした。  ＜光学軸の観察＞
実施例１と同様の方法でコノスコープ象を観察した。光偏向素子１の中心部で有効領域８から電位勾配が実施例１と同様に傾斜していることが確認できた。さらに観察位置を変化させたところ、実施例１と比較してコノスコープ像の十字と円環の位置についての均一性が向上していることが確かめられた。
【００８９】
（実施例４）
図１６に示す画像表示装置１０１を作製した。画像表示素子としての透過型液晶パネル８４は、対角０．９インチＸＧＡ（１０２４×７６８ドット）のポリシリコンＴＦＴ液晶パネルを用いた。画素ピッチは縦横ともに約１８μｍである。画素の開口率は約５０％である。また、透過型液晶パネル８４の光源８１側にマイクロレンズアレイを設けて照明光の集光率を高める構成とした。本実施例では、光源８１としてＲＧＢ三色のＬＥＤ光源を用い、一枚の透過型液晶パネル８４に照射する光の色を高速に切換えてカラー表示を行う、いわゆる、フィールドシーケンシャル方式を採用している。本実施例では、画像表示のフレーム周波数が３０Ｈｚ、ピクセルシフトによる２倍の画素増倍のためのサブフィールド周波数が２倍の６０Ｈｚとした。一つのサブフレーム内をさらに３色分に分割するため、各色に対応した画像を１８０Ｈｚで切換える。透過型液晶パネル８４の各色の画像の表示タイミングに合わせて、対応した色のＬＥＤ光源をＯＮ／ＯＦＦすることで、観察者にはフルカラー画像が見える。
【００９０】
光偏向素子１の構成は実施例３と同様であるが、透過型液晶パネル８４から出射した光の偏光方向が偏光面を回転する素子の液晶配向方向の一方と同一に設置した。また、光偏向素子１への入射光の偏光度を確実にするために、光偏向素子１の入射面側に直線偏光板を設けた。
【００９１】
光路シフト位置の切換えタイミングに同期して、透過型液晶パネル８４に表示するサブフィールド画像を６０Ｈｚで書き換えることで、二方向に見かけ上の画素数が２倍に増倍した高精細画像が表示できた。光偏向素子１の切換え時間は約０．４ｍｓｅｃであり、充分な光利用効率が得られた。また、フリッカーなどは観測されなかった。また、スクリーン面にＣＣＤを配置して、ＣＣＤ上に画像を結像させて画素の形状を観察した。ここで、二画素周期のライン／スペース画像（一画素幅の白表示ラインと一画素幅の黒表示ラインが交互に並んだ画像)を表示し、白部の輝度をＩｍａＸ、黒部の輝度をＩｍｉｎとして、“コントラスト・トランスファー・ファンクション(ＣＴＦ)＝（ＩｍａＸ−Ｉｍｉｎ）／（ＩｍａＸ−Ｉｍｉｎ）”を求めた。一般に光偏向素子１の変調伝達関数（ＭＴＦ）の値が小さいと画素の形状が鈍って、隣接した表示画素部と非表示画素部の輝度コントラストが低下し、ＣＴＦ値が小さくなる。本実施例では、ＣＴＦ値は０．８であり、画素形状が比較的シャープな高精細画像が表示できることが確かめられた。
【図面の簡単な説明】
【００９２】
【図１】本発明の一実施の形態である光偏向素子の平面図（ａ）と断面図（ｂ）である。
【図２】電位勾配方向と光偏向方向との関係を説明する説明図である。
【図３】光偏向動作の原理を説明する説明図である。
【図４】本発明の別の実施の形態である光偏向素子の平面図（ａ）、断面図（ｂ）、拡大断面図（ｃ）である。
【図５】図４の光偏向素子の電位勾配を説明する説明図である。
【図６】図４の光偏向素子における電極電位を説明する説明図である。
【図７】本発明の別の実施の形態である光偏向素子の平面図（ａ）、断面図（ｂ）、拡大断面図（ｃ）である。
【図８】本発明の別の実施の形態である光偏向素子の平面図である。
【図９】図８の光偏向素子の電極電位を説明するタイミングチャートである。
【図１０】図８の光偏向素子の電位勾配の説明図である。
【図１１】図８の光偏向素子の別の例の電極電位を説明するタイミングチャートである。
【図１２】図１１の場合の光偏向素子の電位勾配の説明図である。
【図１３】本発明の別の実施の形態である光偏向素子の平面図である。
【図１４】本発明の別の実施の形態である光偏向素子の平面図（ａ）、断面図（ｂ）である。
【図１５】図１４の光偏向素子における一軸結晶軸方向と偏光方向との関係を説明する説明図である。
【図１６】本発明の一実施の形態である画像表示装置の構成の説明図である。
【図１７】図１６の画像表示装置で画素ピッチの半分だけ光路を偏光する場合の説明図である。
【図１８】図１６の画像表示装置で透過型液晶パネルの画像形成領域と光偏向素子の有効領域とのサイズの関係を説明する説明図である。
【図１９】本発明の別の実施の形態である画像表示装置の構成の説明図である。
【図２０】従来の画像表示装置の構成の説明図である。
【符号の説明】
【００９３】
１  光偏向素子
２  基板
３  液晶層
４  第１の抵抗
７  電極
７ａ  電極
７ｂ  電極
８  有効領域
９  電源
１１  第２の抵抗
１２  第１の導体
１４  第２の導体
２２  複屈折性媒体
８４  画像表示素子
８４ａ  画像形成領域
９２  光偏向素子
【図１】
2006010914.tif 000003
【図２】
2006010914.tif 000004
【図３】
2006010914.tif 000005
【図４】
2006010914.tif 000006
【図５】
2006010914.tif 000007
【図６】
2006010914.tif 000008
【図７】
2006010914.tif 000009
【図８】
2006010914.tif 000010
【図９】
2006010914.tif 000011
【図１０】
2006010914.tif 000012
【図１１】
2006010914.tif 000013
【図１２】
2006010914.tif 000014
【図１３】
2006010914.tif 000015
【図１４】
2006010914.tif 000016
【図１５】
2006010914.tif 000017
【図１６】
2006010914.tif 000018
【図１７】
2006010914.tif 000019
【図１８】
2006010914.tif 000020
【図１９】
2006010914.tif 000021
【図２０】
2006010914.tif 000022